(57)【特許請求の範囲】
【請求項１】
シロアリの除去のためのシロアリ防除用トラップにおいて、
トラップ本体；及び
前記トラップ本体に内蔵される殺虫薬剤部を含み、
前記トラップ本体は中空部を有する筒状に形成され、第１の被取付面に密着される第１の安着部、第２の被取付面に密着されて前記第１の安着部に対して傾斜角を有するように連結される第２の安着部、前記第１の安着部及び前記第２の安着部のうち、少なくとも一箇所以上に形成されるシロアリ進入開口が形成され、
前記トラップ本体は前記第１の安着部と前記第２の安着部との間に連結される連結部を備えて、
前記連結部は前記第１の安着部及び第２の安着部の角度調節が可能なようにひだ部が形成されたことを特徴とする
シロアリ防除用トラップ。
【請求項２】
前記トラップ本体は三角柱形状を有する柱部、及び前記柱部の一端または両端に挿入される栓からなることを特徴とする
請求項１に記載のシロアリ防除用トラップ。
【請求項３】
前記柱部には前記栓が挟まれる栓安着爪が突出して形成され、
前記シロアリ進入開口は前記第１の安着部及び第２の安着部の連結部位に前記柱部の長手方向に沿って複数に切開して形成されたことを特徴とする
請求項２に記載のシロアリ防除用トラップ。
【請求項４】
前記殺虫薬剤部は、水分を帯びるように、水分吸収部材が備えられたベースシートに殺虫薬剤を供給して形成したことを特徴とする
請求項１〜３のいずれか一項に記載のシロアリ防除用トラップ。
【請求項５】
前記ベースシートは内部に空間を有するように形成された中性紙からなり、
前記水分吸収部材は高吸水性樹脂からなり、
前記中空部または前記空間に挿入されるシロアリ用餌が備えられたことを特徴とする
請求項４に記載のシロアリ防除用トラップ。
【請求項６】
前記第１の安着部を前記第１の被取付面に固定するための第１の結束部材；及び
前記第２の安着部を前記第２の被取付面に固定するための第２の結束部材をさらに含むことを特徴とする
請求項１〜３のいずれか一項に記載のシロアリ防除用トラップ。
【発明の詳細な説明】
【技術分野】
【０００１】
本発明は、シロアリ防除用トラップに関するものであり、より詳細には、角や狭い通路などのようなシロアリの移動経路に簡便に取り付けて、効果的に防除効果を発揮することができ、構造が簡潔で、単純で、使用、取り付けおよび取り扱いが容易で、製造コスト及び防除コストを削減することができるシロアリ防除用トラップに関するものである。
【背景技術】
【０００２】
一般的に、シロアリは木造建築物の柱及びその他の建築構造材を餌にして被害を与える昆虫としてシロアリの被害を受けた構造材はその機能を尽くして、建築物の構造の不安定性を引き起こしている。
【０００３】
木造建築物の致命的な被害を引き起こすシロアリは亜熱帯地方に住む虫で韓国にはなかった昆虫であるが、地球温暖化及び輸入木材等によりシロアリの生息が活発化している。また、シロアリは群（ｃｏｌｏｎｙ）生活をする社会性昆虫で、幼虫（生殖階級）は同じ大きさの翼を有していて、オスシロアリは受精後に死なず産卵をする雌シロアリと一緒に生活するという違いによりアリが属するハチ目と区別される。成長は不完全変態をし、大きな顎は咀嚼型で口器がよく発達している。シロアリ群は、生殖階級を中心に多くの働きアリ階級、若蟲、兵隊アリ階級、幼シロアリ、卵で構成されている。
【０００４】
これらのシロアリ中の韓国では、地中シロアリの一種である日本シロアリ（Ｒｅｔｉｃｕｌｉｔｅｒｍｅｓ  ｓｐｅｒａｔｕｓ）が主に生息している。日本シロアリは韓国全域で確認されていて、ソウル、京畿道、江原道の韓国北部地域でもシロアリの摂食活動が確認されている。一般的に、建物でシロアリの加害による損傷が発生されると、建物の外見上の変化を発見することができなくても木の内部はすでに中が空れる空洞化現象が現れる。
【０００５】
現在、韓国内に生息する日本シロアリ（Ｒｅｔｉｃｕｌｉｔｅｒｍｅｓ  ｓｐｅｒａｔｕｓ）は、地球温暖化の影響で、その個体数が大幅に増加して木造建築物などにその被害が非常に深刻な状態であり、その分布高度も次第に高まってあり、拡散の兆しがある。生態学の観点からシロアリはゴキブリと類似している特性を見せ、地中や木材の内部などに生息処を確保して繁殖すると、防除が極めて難しく、生息処は主に地中と木材の内部で、移動はトンネルや地上を利用してあり目視時すでにかなりの被害が進行されているのが実情である。
【０００６】
前述したシロアリの被害に伴う問題を解決するための方案として、世界的で様々な研究開発活動が進められている。例えば大韓民国公開特許公開番号第１０−１９９６−０００００１９号（公開日：１９９６．０１．２５）には、シロアリの侵入を検出するシロアリ警告装置が提案されているが、これはシロアリの出現を検出する技術に過ぎないので、実質的な退治の方案になることができない限界がある。
【０００７】
そして、大韓民国公開特許公開番号第１０−２０１０−００２９８４２号（公開日：２０１０．０３．１７）には、図１に示すような、地上シロアリステーションに関する技術が提案されている。
【０００８】
前述した地上シロアリステーションは、地上でシロアリを検出及び防除するための地上シロアリステーションで、シロアリステーション２１の容器２３は内部空間を形成し、少なくとも部分的に地上搭載の表面に接してその表面に搭載されるように構成されている。容器は、閉鎖された構成と容器が搭載表面に搭載されるあいだ、容器の内部空間にアクセスできる開放された構成との間で構成されることができる。カートリッジは、容器の内部空間に挿入され、内部空間から除去されるようにするサイズ及び構成を有して、一般的に集結部材、集結部材と独立した餌マトリックス、およびカートリッジを単一のユニットとして容器の内部空間に対して位置させるためにホルダと組み立てて、集結部材及び餌マトリックスを少なくとも部分的に保持するホルダ６５を含む。
【０００９】
前述した従来の地上シロアリステーションは、シロアリの検出及び防除にどの程度効果があるが、かさばる筒状に構成されてシロアリの移動する角や狭い通路に取り付けることができない構造であるため、防除効果が低く、複雑な木造の建物などの構造的特性に合わせて適切に対応することができない限界がある。
【００１０】
そして、従来の地上シロアリステーションは、体積が大きく、取り扱いが不便で、取り付けにくいだけでなく、構成部品が多く、構造が複雑なので、製造コストの上昇により防除コストが過度に高価な短所がある。
【先行技術文献】
【特許文献】
【００１１】
【特許文献１】大韓民国公開特許第１０−１９９６−０００００１９号
【特許文献２】大韓民国公開特許第１０−２０１０−００２９８４２号
【発明の概要】
【発明が解決しようとする課題】
【００１２】
本発明は、前記問題を解決するものであり、角や狭い通路などのようなシロアリの移動経路に簡便に取り付けて、効果的に防除効果を発揮できるようにしたシロアリ防除用トラップを提供することにその目的がある。
【００１３】
本発明の他の目的は、構造が簡潔で、単純で、使用、取り付け及び取り扱いが容易で、製造コスト及び防除コストを削減することができるようにしたシロアリ防除用トラップを提供することである。
【課題を解決するための手段】
【００１４】
前記目的を達成するために、本発明に係るシロアリ防除用トラップは、シロアリの除去のためのシロアリ防除用トラップにおいて、トラップ本体；及び前記トラップ本体に内蔵される殺虫薬剤部を含み、前記トラップ本体は中空部を有する筒状に形成され、第１の被取付面に密着される第１の安着部、第２の被取付面に密着されて前記第１の安着部に対して傾斜角を有するように連結される第２の安着部、前記第１の安着部及び前記第２の安着部のうち、少なくとも一箇所以上に形成されるシロアリ進入開口が形成されたことを特徴とする。
【００１５】
前記トラップ本体は三角柱形状を有する柱部、及び前記柱部の一端または両端に挿入される栓からなることができる。
【００１６】
好ましくは、前記柱部には、前記栓が挟まれる栓安着爪が突出して形成され、前記シロアリ進入開口は前記第１の安着部及び第２の安着部の連結部位に前記柱部の長手方向に沿って複数に切開して形成されることができる。
【００１７】
一方、前記トラップ本体は、前記第１の安着部と前記第２の安着部との間に連結される連結部を備えて、前記連結部は前記第１の安着部及び第２の安着部の角度調節が可能なようにひだ部が形成されることができる。
【００１８】
前記殺虫薬剤部は、水分を帯びるように、水分吸収部材が備えられたベースシートに殺虫薬剤を供給して形成することができる。
【００１９】
ここで、前記ベースシートは、内部に空間を有するように形成された中性紙からなり、前記水分吸収部材は高吸水性樹脂からなり、前記中空部または前記空間に挿入されるシロアリ用餌が備えられることができる。
【００２０】
一方、本発明に係るシロアリ防除用トラップは、前記第１の安着部を前記第１の被取付面に固定するための第１の結束部材；及び前記第２の安着部を前記第２の被取付面に固定するための第２の結束部材をさらに含んで構成されることができる。
【発明の効果】
【００２１】
本発明に係るシロアリ防除用トラップによると、シロアリの主要な移動通路である角や狭い通路などに、第１の安着部及び第２の安着部を密着させる形態で簡便に取り付けて、内部へシロアリを誘引した後、殺虫する方式なので、効果的に防除効果を発揮することができ、構造が簡潔で、単純な三角柱形状なので使用、取り付け及び取り扱いが容易で、製造コスト及び防除コストを削減することができる効果がある。
【００２２】
そして、本発明に係るシロアリ防除用トラップによると、殺虫薬剤部に殺虫約剤ほかに、長時間水分を帯びるように、水分吸収部材が備えられているので、シロアリが好きな水分が長い時間の間に残留して防除効果が長時間維持される長所がある。
【００２３】
また、本発明に係るシロアリ防除用トラップによると、トラップ本体にひだ部か備わって、第１の安着部及び第２の安着部の角度を被取付面の形状に応じて調節することができるので、互換的に使用できる長所がある。
【図面の簡単な説明】
【００２４】
【図１】従来のシロアリ防除用トラップを説明するための図面である。
【図２】本発明の一実施形態に係るシロアリ防除用トラップを示した斜視図である。
【図３】本発明の一実施形態に係るシロアリ防除用トラップを示した分解斜視図である。
【図４】本発明の一実施形態に係るシロアリ防除用トラップの作用を説明するための図面である。
【図５】本発明の他の実施形態に係るシロアリ防除用トラップを示した斜視図である。
【図６】本発明の他の実施形態に係るシロアリ防除用トラップを示した分解斜視図である。
【図７】本発明の他の実施形態に係るシロアリ防除用トラップの作用を説明するための図面である。
【発明を実施するための形態】
【００２５】
以下、添付された図面を参照して、本発明の実施形態を具体的に説明する。
【００２６】
図２は本発明の一実施形態に係るシロアリ防除用トラップを示す斜視図で、図３は本発明の一実施形態に係るシロアリ防除用トラップを示した分解斜視図である。
【００２７】
図２及び図３を参照すると、本発明の一実施形態に係るシロアリ防除用トラップは、トラップ本体１と、このトラップ本体１に内蔵される殺虫薬剤部２を備えるもので、前記トラップ本体１は中空部を有する筒状に形成される。
【００２８】
特に、トラップ本体１は、シロアリが移動する角や狭い通路などに取り付けて、効果的な防除機能が行われるようにするために、第１の被設置面ｐ１に密着される第１の安着部１１と、第２の被取付面ｐ１に密着されて第１の安着部１１１に対して傾斜角を有するように連結される第２の安着部１１２を有する。
【００２９】
そして、トラップ本体１は、殺虫薬剤部２が内蔵された中空部の内部にシロアリが進入することができるようにシロアリ進入開口１３を形成している。このシロアリ進入開口１３は、第１の安着部１１及び第２の安着部１１の中で少なくとも一箇所以上に形成することができるもので、本実施形態では、第１の安着部１１及び第２の安着部１２の連結部位に対応するトラップ本体１の長手方向に沿って複数の長方形の切開溝が形成される。
【００３０】
そして、トラップ本体１は、紙、プラスチック、ビニールなどの素材で形成されることができ、シロアリの主要な移動経路の角を効果的に遮断することができれば四角柱形状等の形態に特別な制限なしに、様々な形状に構成することができるが、角に適合するように略三角柱形状に形成している。
【００３１】
より具体的に説明すると、前記トラップ本体１は、単一のボディで構成することもできが、本実施形態では、三角柱形状を有する柱部１ａと、この柱部１ａの両側端部（一端にのみ取り付けることもできる）に挿入されて柱部１ａと対応する形状で形成された栓１ｂで構成されている。そして、柱部１ａには、栓１ｂを挟んで挿入できるように栓安着爪１４が突出して形成し、柱部１ａ及び栓１ｂは第１の安着部及び第２の安着部に一体に連結される連結部１５によって三角構造を有する。
【００３２】
一方、前記殺虫薬剤部２は、水分を帯びるように、水分吸収部材２２を備えたベースシート２１に殺虫薬剤が含まれるように注入、塗布、噴霧などの方法で供給されたものを適用する。
【００３３】
より具体的に説明すると、殺虫薬剤部２は、柱部１ａの中空部に挿入されることができるようにロール状に形成され、内部の中心に空間が形成されるように、ベースシート２１を巻いて構成する。
【００３４】
前記ベースシート２１は中性紙からなり、前記水分吸収部材２２は比較的長時間水分を帯びることができるようにするために、高吸水性樹脂が適用されたもので、高吸水性樹脂（ｓｕｐｅｒ  ａｂｓｏｒｂｅｎｔ  ｐｏｌｙｍｅｒ）は３次元網状構造を有し、多量の親水基を有する高分子として、澱粉やセルロースのアクリロニトリルをグラフト共重合させたもの、アクリル酸とビニルアルコールのブロック共重合体などを粉末状または繊維状で形成したものを使用することができる。ここで、水分吸収部材２２として高吸水性樹脂を使用する理由は、シロアリの好きな水分が比較的長時間残留して、防除効果が長時間維持されるようにするためである。
【００３５】
そして、高吸水性樹脂は、接着剤によってベースシート２１に貼り付けられる。この時、接着剤は、接着性が優れながらシロアリが避けていない場合、特別な制限なしに、様々な接着剤を選択して適用することができるもので、本実施形態では、セルロース系接着剤を塗布して構成する。
【００３６】
また、殺虫薬剤部２２は、シロアリを誘引することができるように、ベースシート２１の内部に備えられる空間またはトラップ本体の中空部にシロアリ用餌２３が挿入されている。シロアリ用餌２３は、シロアリ用餌として知られている繊維、パルプなどを制限なしに選択して配置することができるもので、本実施形態では脱脂綿を投入して構成する。
【００３７】
殺虫薬剤（図示せず）は、シロアリの殺虫特性に優れて、水で希釈することができれば、特別な制限なしに選択して適用することができるが、本実施形態では、メトフルトリン（ｍｅｔｏｆｌｕｔｈｒｉｎ）１％原液を使用した。そのほかにも殺虫剤は、溶媒としてアルコールを適用してビーストリップルロン（Ｂｉｓｔｒｉｆｌｕｒｏｎ）２ｗ／ｖ％となるように造成した溶液を使用することができる。
【００３８】
以下、本発明の一実施形態に係るシロアリ防除用トラップの作用を簡単に説明する。
【００３９】
図４は、本発明の一実施形態に係るシロアリ防除用トラップの作用を説明するための図面であり、これに示されるように中性紙からなるベースシート２１に接着剤を利用して、高吸水性樹脂２２（水分吸収部材）を貼り付けて、メトフルトリン（ｍｅｔｏｆｌｕｔｈｒｉｎ）１％原液を落とした後、丸く巻いて、内部の空間に脱脂綿を挿入して殺虫薬剤部２を構成する。
【００４０】
以後、トラップ本体１の柱部１ａに殺虫薬剤部２を挿入し、栓１ｂを閉じてから、水に５分ほど浸漬させて高吸水性樹脂などの水分が十分に浸透されるようにする。
【００４１】
このように準備されたシロアリ防除用トラップを図４に示すように、建築物の角に取り付けて、日本シロアリ（Ｒｅｔｉｃｕｌｉｔｅｒｍｅｓ  ｓｐｅｒａｔｕｓ）を投入して実験を行った結果、シロアリが角に移動した後、トラップ本体１のシロアリ進入開口１３を介して進入して殺虫されることがわかった。
【００４２】
以下、本発明に係る他の実施形態を説明するが、前述した一実施形態に示された構成要素に似ている構成要素については具体的な説明を省略して、相違点を有する構成要素を中心に説明して、作用効果に関する事項も互いに似ているので、具体的な説明を省略する。
【００４３】
図５は、本発明の他の実施形態に係るシロアリ防除用トラップを示す斜視図で、図６は本発明の他の実施形態に係るシロアリ防除用トラップを示した分解斜視図で、図７は本発明の他の実施形態に係るシロアリ防除用トラップの作用を説明するための図面である。
【００４４】
図５乃至図７を参照すると、本発明の他の実施形態に係るシロアリ防除用トラップは、第１の被取付面ｐ１及び第２の被取付面ｐ２に密着される第１の安着部１１及び第２の安着部１２とシロアリ進入開口１３を備えたトラップ本体１と、このトラップ本体１に内蔵されている殺虫薬剤部２を備えものの、前記トラップ本体１は第１の安着部１１と第２の安着部１２との間に連結される連結部１５を備えて、この連結部１５には第１の安着部１１及び第２の安着部１２の角度調節が可能なようにひだ部１６が形成されている。
【００４５】
一方、ひだ部１６は、第１の被取付面ｐ１及び第２の被取付面ｐ２との間の角度が鋭角や鈍角になる場合にも互換的に使用できるようにする構成で、本実施形態では、山と切りからなるひだの構造を隣接して複数配置して構成したが、トラップ本体のサイズに応じて、１つまたはそれ以上にひだの構造の数量を調節することができる。そして、栓１ｂは収縮及び膨張が可能なように柱部１ａの連結部１５に形成されたひだ部とつながるひだ部のほか、ボディの塞がった面にもひだ部が形成されている。
【００４６】
一方、本発明の他の実施形態に係るシロアリ防除用トラップは、第１の安着部１１及び第２の安着部１２の設置角度が調節される構造であることを考慮して、トラップ本体１の取り付けた状態を強固に保持するために、第１の安着部１１を第１の被設置面ｐ１に固定するための第１の結束部材１８と、第２の安着部１２を第２の被取付面ｐ２に固定するための第２の結束中部材１９がさらに構成される。
【００４７】
第１の結束部材１８及び第２の結束部材１９は、マジックテープファスナーのような取り外し可能な結束手段を適用することができるが、本実施形態では、取り付けた状態で隙間が発生しないように両面テープを第１の安着部１１と第２の安着部１２に付着するように構成した。
【００４８】
前述したような本発明の他の実施形態に係るシロアリ防除用トラップは、一実施形態に係るシロアリ防除用トラップと同様にシロアリの主要な移動通路である角に取り付けて、シロアリを殺虫し、除去する用途として使用するが、ひだ部１５が備える第１の安着部１１及び第２の安着部１２を角度調節できるので、第１の被取付面ｐ１及び第２の被取付面ｐ２との間の角度が鋭角や鈍角であっても、互換的に使用できる長所がある。
【００４９】
以上で説明したのは、本発明に係るシロアリ防除用トラップを実施するための一つの実施形態に過ぎないものであって、本発明は、前述した実施形態に限定されず、以下の特許請求の範囲で請求するように、本発明の要旨を逸脱しない範囲内で当該発明の属する分野における通常の知識を持った者なら誰でも多様な変更実施が可能な範囲まで本発明の技術的思想があるとするものである。
【００５０】
前述した実施形態で使用した用語は、単に特定の実施形態を説明するために使用されたもので、本発明を限定しようとする意図ではない。単数の表現は、文脈上明らかに別の方法で意味がない限り、複数の表現を含む。本出願では、「含む」または「有する」などの用語は、明細書上に記載された特徴、数字、段階、動作、構成要素、部品、またはこれらを組み合わせたものが存在することを指定することであって、一つまたはそれ以上の他の特徴や数字、段階、動作、構成要素、部品、またはこれらを組み合わせたものの存在または付加の可能性を予め排除していないものと理解されるべきである。
【符号の説明】
【００５１】
１：トラップ本体
１ａ：柱部
１ｂ：栓
１１：第１の安着部
１２：第２の安着部
１３：シロアリ進入開口
１４：栓安着爪
１５：連結部
１６：ひだ部
１８：第１の結束部材
１９：第２の結束部材
２：殺虫薬剤部
２１：ベースシート
２２：水分吸収部材
２３：シロアリ用餌
ｐ１：第１の被取付面
ｐ２：第２の被取付面
【図１】
0006279049.tif 000002
【図２】
0006279049.tif 000003
【図３】
0006279049.tif 000004
【図４】
0006279049.tif 000005
【図５】
0006279049.tif 000006
【図６】
0006279049.tif 000007
【図７】
0006279049.tif 000008